【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
メディアアセットの表示部分を生成するための方法であって、
表示画面上への表示のために、第１のメディアアセットの第１の場面を生成するステップと、
前記第２の場面のユーザ選択に基づいて、第２のメディアアセットの第２の場面へのアクセス要求を受信するステップと、
さらにユーザ入力を受信せずに、
前記第１のメディアアセットが表示のために生成されている間、第１の時間点が前記第２の場面の開始に対応する時間であることを決定するステップと、
前記第１の時間点が前記開始時間に対応するという決定に基づいて、前記表示画面上で前記第１の場面と前記第２の場面を置換するステップと、
前記第２の場面が表示のために生成されている間、第２の時間点が前記第２の場面の終了時間に対応することを決定するステップと、
前記第２の時間点が前記終了時間に対応するという決定に基づいて、前記表示画面上で前記第２の場面と前記第１のメディアアセットを置換するステップと
を含む、方法。
【請求項２】
前記第２の場面が表示のために生成されるであろう時間帯を決定するステップをさらに含み、前記時間帯は、前記第２のメディアアセットとともに伝送されるデータに基づく開始時間および終了時間を含む、請求項１に記載の方法。
【請求項３】
前記第１の時間点に対応する前記第１のメディアアセット内の第１のフレームを決定するステップと、
前記第１のフレームに対応する前記第１のメディアアセット内の現在のフレームに基づいて、前記表示画面上で前記第１の場面と前記第２の場面を置換することを決定するステップと
をさらに含む、請求項１に記載の方法。
【請求項４】
前記第１の時間点に対応する前記第１のメディアアセット内の第１のオーディオキューを決定するステップと、
前記第１のオーディオキューに対応する前記第１のメディアアセット内の現在のオーディオキューに基づいて、前記表示画面上で前記第１の場面と前記第２の場面を置換することを決定するステップと
をさらに含む、請求項１に記載の方法。
【請求項５】
メディアアセットの表示部分を生成するためのシステムであって、
ユーザ入力インターフェースと、
制御回路であって、
表示画面上への表示のために、第１のメディアアセットの第１の場面を生成することと、
前記第２の場面のユーザ選択に基づいて、第２のメディアアセットの第２の場面へのアクセス要求を受信することと、
さらにユーザ入力を受信せずに、
前記第１のメディアアセットが表示のために生成されている間、第１の時間点が前記第２の場面の開始に対応する時間であることを決定することと、
前記第１の時間点が前記開始時間に対応するという決定に基づいて、前記表示画面上で前記第１の場面と前記第２の場面を置換することと、
前記第２の場面が表示のために生成されている間、第２の時間点が前記第２の場面の終了時間に対応することを決定することと、
前記第２の時間点が前記終了時間に対応するという決定に基づいて、前記表示画面上で前記第２の場面と前記第１のメディアアセットを置換することと
を行うように構成される、制御回路と
を備える、システム。
【請求項６】
前記制御回路はさらに、
前記第２の場面が表示のために生成されるであろう時間帯を決定するように構成され、前記時間帯は、前記第２のメディアアセットとともに伝送されるデータに基づく開始時間および終了時間を含む、請求項５に記載のシステム。
【請求項７】
前記制御回路はさらに、
前記第１の時間点に対応する前記第１のメディアアセット内の第１のフレームを決定することと、
前記第１のフレームに対応する前記第１のメディアアセット内の現在のフレームに基づいて、前記表示画面上で前記第１の場面と前記第２の場面を置換することを決定することと
を行うように構成される、請求項５に記載のシステム。
【請求項８】
前記制御回路はさらに、
前記第１の時間点に対応する前記第１のメディアアセット内の第１のオーディオキューを決定することと、
前記第１のオーディオキューに対応する前記第１のメディアアセット内の現在のオーディオキューに基づいて、前記表示画面上で前記第１の場面と前記第２の場面を置換することを決定することと
を行うように構成される、請求項５に記載のシステム。
【請求項９】
メディアアセットの表示部分を生成するためのシステムであって、
表示画面上への表示のために、第１のメディアアセットの第１の場面を生成するための手段と、
前記第２の場面のユーザ選択に基づいて、第２のメディアアセットの第２の場面へのアクセス要求を受信するための手段と、
さらにユーザ入力を受信せずに、
前記第１のメディアアセットが表示のために生成されている間、第１の時間点が前記第２の場面の開始に対応する時間であることを決定するための手段と、
前記第１の時間点が前記開始時間に対応するという決定に基づいて、前記表示画面上で前記第１の場面と前記第２の場面を置換するための手段と、
前記第２の場面が表示のために生成されている間、第２の時間点が前記第２の場面の終了時間に対応することを決定するための手段と、
前記第２の時間点が前記終了時間に対応するという決定に基づいて、前記表示画面上で前記第２の場面と前記第１のメディアアセットを置換するための手段と
を含む、システム。
【請求項１０】
前記第２の場面が表示のために生成されるであろう時間帯を決定するための手段をさらに備え、前記時間帯は、前記第２のメディアアセットとともに伝送されるデータに基づく開始時間および終了時間を含む、請求項９に記載のシステム。
【請求項１１】
メディアアセットの表示部分を生成するための方法であって、
表示画面上への表示のために、第１のメディアアセットの第１の場面を生成するステップと、
前記第２の場面のユーザ選択に基づいて、第２のメディアアセットの第２の場面へのアクセス要求を受信するステップと、
さらにユーザ入力を受信せずに、
制御回路を使用して、前記第１のメディアアセットが表示のために生成されている間、第１の時間点が前記第２の場面の開始時間に対応することを決定するステップと、
前記第１の時間点が前記開始時間に対応するという決定に基づいて、前記表示画面上で前記第１の場面と前記第２の場面を置換するステップと、
前記制御回路を使用して、前記第２の場面が表示のために生成されている間、第２の時間点が前記第２の場面の終了時間に対応することを決定するステップと、
前記第２の時間点が前記終了時間に対応するという決定に基づいて、前記表示画面上で前記第２の場面と前記第１のメディアアセットを置換するステップと
を含む、方法。
【請求項１２】
前記第２の場面が表示のために生成されるであろう時間帯を決定するステップをさらに含み、前記時間帯は、前記第２のメディアアセットとともに伝送されるデータに基づく開始時間および終了時間を含む、請求項１１に記載の方法。
【請求項１３】
前記第２の場面とメディアアセットの場面に対応する時間帯を含むデータベースを相互参照し、前記第２の場面が表示のために生成されるであろう時間帯を決定するステップをさらに含む、請求項１１−１２のいずれかに記載の方法。
【請求項１４】
前記第１の時間点に対応する前記第１のメディアアセット内の第１の再生位置を決定するステップと、
前記第１の再生位置に対応する前記第１のメディアアセット内の現在の再生位置に基づいて、前記表示画面上で前記第１の場面と前記第２の場面を置換することを決定するステップと
をさらに含む、請求項１１−１３のいずれかに記載の方法。
【請求項１５】
前記第２の場面の時間の長さを決定するステップと、
前記表示画面上での前記第１の場面と前記第２の場面の置換に基づいて、前記時間の長さに対応するカウントダウンを始動させるステップと、
前記カウントダウン満了に基づいて、前記表示画面上で前記第２の場面と前記第１のメディアアセットを置換することを決定するステップと
をさらに含む、請求項１１−１４のいずれかに記載の方法。
【請求項１６】
前記第１の時間点に対応する前記第１のメディアアセット内の第１のフレームを決定するステップと、
前記第１のフレームに対応する前記第１のメディアアセット内の現在のフレームに基づいて、前記表示画面上で前記第１の場面と前記第２の場面を置換することを決定するステップと
をさらに含む、請求項１１−１５のいずれかに記載の方法。
【請求項１７】
前記第１の時間点に対応する前記第１のメディアアセット内の第１のオーディオキューを決定するステップと、
前記第１のオーディオキューに対応する前記第１のメディアアセット内の現在のオーディオキューに基づいて、前記表示画面上で前記第１の場面と前記第２の場面を置換することを決定するステップと
をさらに含む、請求項１１−１６のいずれかに記載の方法。
【請求項１８】
前記第１の時間点に対応する前記第１のメディアアセット内の第１のタグを決定するステップと、
前記第１のメディアアセット内の第１のタグの検出に基づいて、前記表示画面上で前記第１の場面と前記第２の場面を置換することを決定するステップと
をさらに含む、請求項１１−１７のいずれかに記載の方法。
【請求項１９】
前記第１の時間点における前記第１の場面の再生を一時停止するステップと、
前記第２の時間点における前記第１の場面の再生を再開するステップと
をさらに含む、請求項１１−１８のいずれかに記載の方法。
【請求項２０】
前記第１の場面は、第１のインターネットブラウザタブ内における表示のために生成され、前記第２の場面は、第２のインターネットブラウザタブ内における表示のために生成される、請求項１１−１９のいずれかに記載の方法。
【請求項２１】
その上にエンコードされた機械可読命令を備える、メディアアセットの表示部分を生成するための非一過性コンピュータ可読媒体であって、前記命令は、
表示画面上への表示のために、第１のメディアアセットの第１の場面を生成するための命令と、
前記第２の場面のユーザ選択に基づいて、第２のメディアアセットの第２の場面へのアクセス要求を受信するための命令と、
さらにユーザ入力を受信せずに、
前記第１のメディアアセットが表示のために生成されている間、第１の時間点が前記第２の場面の開始に対応する時間であることを決定するための命令と、
前記第１の時間点が前記開始時間に対応するという決定に基づいて、前記表示画面上で前記第１の場面と前記第２の場面を置換するための命令と、
前記第２の場面が表示のために生成されている間、第２の時間点が前記第２の場面の終了時間に対応することを決定するための命令と、
前記第２の時間点が前記終了時間に対応するという決定に基づいて、前記表示画面上で前記第２の場面と前記第１のメディアアセットを置換するための命令と
を備える、非一過性コンピュータ可読媒体。
【請求項２２】
前記その上にエンコードされた機械可読命令はさらに、
前記第２の場面が表示のために生成されるであろう時間帯を決定するための命令を備え、前記時間帯は、前記第２のメディアアセットとともに伝送されるデータに基づく開始時間および終了時間を含む、請求項２１に記載の非一過性コンピュータ可読媒体。
【請求項２３】
前記その上にエンコードされた機械可読命令はさらに、
前記第２の場面とメディアアセットの場面に対応する時間帯を含むデータベースを相互参照し、前記第２の場面が表示のために生成されるであろう時間帯を決定するための命令を備える、請求項２１に記載の非一過性コンピュータ可読媒体。
【請求項２４】
前記その上にエンコードされた機械可読命令はさらに、
前記第１の時間点に対応する前記第１のメディアアセット内の第１の再生位置を決定するための命令と、
前記第１の再生位置に対応する前記第１のメディアアセット内の現在の再生位置に基づいて、前記表示画面上で前記第１の場面と前記第２の場面を置換することを決定するための命令と
を備える、請求項２１に記載の非一過性コンピュータ可読媒体。
【請求項２５】
前記その上にエンコードされた機械可読命令はさらに、
前記第２の場面の時間の長さを決定するための命令と、
前記表示画面上での前記第１の場面と前記第２の場面の置換に基づいて、前記時間の長さに対応するカウントダウンを始動させるための命令と、
前記カウントダウン満了に基づいて、前記表示画面上で前記第２の場面と前記第１のメディアアセットを置換することを決定するための命令と
を備える、請求項２１に記載の非一過性コンピュータ可読媒体。
【請求項２６】
前記その上にエンコードされた機械可読命令はさらに、
前記第１の時間点に対応する前記第１のメディアアセット内の第１のフレームを決定するための命令と、
前記第１のフレームに対応する前記第１のメディアアセット内の現在のフレームに基づいて、前記表示画面上で前記第１の場面と前記第２の場面を置換することを決定するための命令と
を備える、請求項２１に記載の非一過性コンピュータ可読媒体。
【請求項２７】
前記その上にエンコードされた機械可読命令はさらに、
前記第１の時間点に対応する前記第１のメディアアセット内の第１のオーディオキューを決定するための命令と、
前記第１のオーディオキューに対応する前記第１のメディアアセット内の現在のオーディオキューに基づいて、前記表示画面上で前記第１の場面と前記第２の場面を置換することを決定するための命令と
を備える、請求項２１に記載の非一過性コンピュータ可読媒体。
【請求項２８】
前記その上にエンコードされた機械可読命令はさらに、
前記第１の時間点に対応する前記第１のメディアアセット内の第１のタグを決定するための命令と、
前記第１のメディアアセット内の第１のタグの検出に基づいて、前記表示画面上で前記第１の場面と前記第２の場面を置換することを決定するための命令と
を備える、請求項２１に記載の非一過性コンピュータ可読媒体。
【請求項２９】
前記その上にエンコードされた機械可読命令はさらに、
前記第１の時間点における前記第１の場面の再生を一時停止するための命令と、
前記第２の時間点における前記第１の場面の再生を再開するための命令と
を備える、請求項２１に記載の非一過性コンピュータ可読媒体。
【請求項３０】
前記第１の場面は、第１のインターネットブラウザタブ内における表示のために生成され、前記第２の場面は、第２のインターネットブラウザタブ内における表示のために生成される、請求項２１に記載の非一過性コンピュータ可読媒体。
【手続補正２】
【補正対象書類名】明細書
【補正対象項目名】００１９
【補正方法】変更
【補正の内容】
【００１９】
前述のシステムおよび／または方法は、前述ならびに後述の他のシステム、方法、および／または装置と組み合わせられ、それらに適用され、もしくはそれらに従って使用され得ることに留意されたい。
本願明細書は、例えば、以下の項目も提供する。
（項目１）
メディアアセットの表示部分を生成するための方法であって、
表示画面上への表示のために、第１のメディアアセットの第１の場面を生成するステップと、
前記第２の場面のユーザ選択に基づいて、第２のメディアアセットの第２の場面へのアクセス要求を受信するステップと、
さらにユーザ入力を受信せずに、
前記第１のメディアアセットが表示のために生成されている間、第１の時間点が前記第２の場面の開始に対応する時間であることを決定するステップと、
前記第１の時間点が前記開始時間に対応するという決定に基づいて、前記表示画面上で前記第１の場面と前記第２の場面を置換するステップと、
前記第２の場面が表示のために生成されている間、第２の時間点が前記第２の場面の終了時間に対応することを決定するステップと、
前記第２の時間点が前記終了時間に対応するという決定に基づいて、前記表示画面上で前記第２の場面と前記第１のメディアアセットを置換するステップと
を含む、方法。
（項目２）
前記第２の場面が表示のために生成されるであろう時間帯を決定するステップをさらに含み、前記時間帯は、前記第２のメディアアセットとともに伝送されるデータに基づく開始時間および終了時間を含む、項目１に記載の方法。
（項目３）
前記第２の場面とメディアアセットの場面に対応する時間帯を含むデータベースを相互参照し、前記第２の場面が表示のために生成されるであろう時間帯を決定するステップをさらに含む、項目１に記載の方法。
（項目４）
前記第１の時間点に対応する前記第１のメディアアセット内の第１の再生位置を決定するステップと、
前記第１の再生位置に対応する前記第１のメディアアセット内の現在の再生位置に基づいて、前記表示画面上で前記第１の場面と前記第２の場面を置換することを決定するステップと
をさらに含む、項目１に記載の方法。
（項目５）
前記第２の場面の時間の長さを決定するステップと、
前記表示画面上での前記第１の場面と前記第２の場面の置換に基づいて、前記時間の長さに対応するカウントダウンを始動させるステップと、
前記カウントダウン満了に基づいて、前記表示画面上で前記第２の場面と前記第１のメディアアセットを置換することを決定するステップと
をさらに含む、項目１に記載の方法。
（項目６）
前記第１の時間点に対応する前記第１のメディアアセット内の第１のフレームを決定するステップと、
前記第１のフレームに対応する前記第１のメディアアセット内の現在のフレームに基づいて、前記表示画面上で前記第１の場面と前記第２の場面を置換することを決定するステップと
をさらに含む、項目１に記載の方法。
（項目７）
前記第１の時間点に対応する前記第１のメディアアセット内の第１のオーディオキューを決定するステップと、
前記第１のオーディオキューに対応する前記第１のメディアアセット内の現在のオーディオキューに基づいて、前記表示画面上で前記第１の場面と前記第２の場面を置換することを決定するステップと
をさらに含む、項目１に記載の方法。
（項目８）
前記第１の時間点に対応する前記第１のメディアアセット内の第１のタグを決定するステップと、
前記第１のメディアアセット内の第１のタグの検出に基づいて、前記表示画面上で前記第１の場面と前記第２の場面を置換することを決定するステップと
をさらに含む、項目１に記載の方法。
（項目９）
前記第１の時間点における前記第１の場面の再生を一時停止するステップと、
前記第２の時間点における前記第１の場面の再生を再開するステップと
をさらに含む、項目１に記載の方法。
（項目１０）
前記第１の場面は、第１のインターネットブラウザタブ内における表示のために生成され、前記第２の場面は、第２のインターネットブラウザタブ内における表示のために生成される、項目１に記載の方法。
（項目１１）
メディアアセットの表示部分を生成するためのシステムであって、
ユーザ入力インターフェースと、
制御回路であって、
表示画面上への表示のために、第１のメディアアセットの第１の場面を生成することと、
前記第２の場面のユーザ選択に基づいて、第２のメディアアセットの第２の場面へのアクセス要求を受信することと、
さらにユーザ入力を受信せずに、
前記第１のメディアアセットが表示のために生成されている間、第１の時間点が前記第２の場面の開始に対応する時間であることを決定することと、
前記第１の時間点が前記開始時間に対応するという決定に基づいて、前記表示画面上で前記第１の場面と前記第２の場面を置換することと、
前記第２の場面が表示のために生成されている間、第２の時間点が前記第２の場面の終了時間に対応することを決定することと、
前記第２の時間点が前記終了時間に対応するという決定に基づいて、前記表示画面上で前記第２の場面と前記第１のメディアアセットを置換することと
を行うように構成される、制御回路と
を備える、システム。
（項目１２）
前記制御回路はさらに、
前記第２の場面が表示のために生成されるであろう時間帯を決定するように構成され、前記時間帯は、前記第２のメディアアセットとともに伝送されるデータに基づく開始時間および終了時間を含む、項目１１に記載のシステム。
（項目１３）
前記制御回路はさらに、
前記第２の場面とメディアアセットの場面に対応する時間帯を含むデータベースを相互参照し、前記第２の場面が表示のために生成されるであろう時間帯を決定するように構成される、項目１１に記載のシステム。
（項目１４）
前記制御回路はさらに、
前記第１の時間点に対応する前記第１のメディアアセット内の第１の再生位置を決定することと、
前記第１の再生位置に対応する前記第１のメディアアセット内の現在の再生位置に基づいて、前記表示画面上で前記第１の場面と前記第２の場面を置換することを決定することと
を行うように構成される、項目１１に記載のシステム。
（項目１５）
前記制御回路はさらに、
前記第２の場面の時間の長さを決定することと、
前記表示画面上での前記第１の場面と前記第２の場面の置換に基づいて、前記時間の長さに対応するカウントダウンを始動させることと、
前記カウントダウン満了に基づいて、前記表示画面上で前記第２の場面と前記第１のメディアアセットを置換することを決定することと
を行うように構成される、項目１１に記載のシステム。
（項目１６）
前記制御回路はさらに、
前記第１の時間点に対応する前記第１のメディアアセット内の第１のフレームを決定することと、
前記第１のフレームに対応する前記第１のメディアアセット内の現在のフレームに基づいて、前記表示画面上で前記第１の場面と前記第２の場面を置換することを決定することと
を行うように構成される、項目１１に記載のシステム。
（項目１７）
前記制御回路はさらに、
前記第１の時間点に対応する前記第１のメディアアセット内の第１のオーディオキューを決定することと、
前記第１のオーディオキューに対応する前記第１のメディアアセット内の現在のオーディオキューに基づいて、前記表示画面上で前記第１の場面と前記第２の場面を置換することを決定することと
を行うように構成される、項目１１に記載のシステム。
（項目１８）
前記制御回路はさらに、
前記第１の時間点に対応する前記第１のメディアアセット内の第１のタグを決定することと、
前記第１のメディアアセット内の第１のタグの検出に基づいて、前記表示画面上で前記第１の場面と前記第２の場面を置換することを決定することと
を行うように構成される、項目１１に記載のシステム。
（項目１９）
前記制御回路はさらに、
前記第１の時間点における前記第１の場面の再生を一時停止することと、
前記第２の時間点における前記第１の場面の再生を再開することと
を行うように構成される、項目１１に記載のシステム。
（項目２０）
前記第１の場面は、第１のインターネットブラウザタブ内における表示のために生成され、前記第２の場面は、第２のインターネットブラウザタブ内における表示のために生成される、項目１１に記載のシステム。
（項目２１）
メディアアセットの表示部分を生成するためのシステムであって、
表示画面上への表示のために、第１のメディアアセットの第１の場面を生成するための手段と、
前記第２の場面のユーザ選択に基づいて、第２のメディアアセットの第２の場面へのアクセス要求を受信するための手段と、
さらにユーザ入力を受信せずに、
前記第１のメディアアセットが表示のために生成されている間、第１の時間点が前記第２の場面の開始に対応する時間であることを決定するための手段と、
前記第１の時間点が前記開始時間に対応するという決定に基づいて、前記表示画面上で前記第１の場面と前記第２の場面を置換するための手段と、
前記第２の場面が表示のために生成されている間、第２の時間点が前記第２の場面の終了時間に対応することを決定するための手段と、
前記第２の時間点が前記終了時間に対応するという決定に基づいて、前記表示画面上で前記第２の場面と前記第１のメディアアセットを置換するための手段と
を含む、システム。
（項目２２）
前記第２の場面が表示のために生成されるであろう時間帯を決定するための手段をさらに備え、前記時間帯は、前記第２のメディアアセットとともに伝送されるデータに基づく開始時間および終了時間を含む、項目２１に記載のシステム。
（項目２３）
前記第２の場面とメディアアセットの場面に対応する時間帯を含むデータベースを相互参照し、前記第２の場面が表示のために生成されるであろう時間帯を決定するための手段をさらに備える、項目２１に記載のシステム。
（項目２４）
前記第１の時間点に対応する前記第１のメディアアセット内の第１の再生位置を決定するための手段と、
前記第１の再生位置に対応する前記第１のメディアアセット内の現在の再生位置に基づいて、前記表示画面上で前記第１の場面と前記第２の場面を置換することを決定するための手段と
をさらに備える、項目１に記載のシステム。
（項目２５）
前記第２の場面の時間の長さを決定するための手段と、
前記表示画面上での前記第１の場面と前記第２の場面の置換に基づいて、前記時間の長さに対応するカウントダウンを始動させるための手段と、
前記カウントダウン満了に基づいて、前記表示画面上で前記第２の場面と前記第１のメディアアセットを置換することを決定するための手段と
をさらに備える、項目２１に記載のシステム。
（項目２６）
前記第１の時間点に対応する前記第１のメディアアセット内の第１のフレームを決定するための手段と、
前記第１のフレームに対応する前記第１のメディアアセット内の現在のフレームに基づいて、前記表示画面上で前記第１の場面と前記第２の場面を置換することを決定するための手段と
をさらに備える、項目２１に記載のシステム。
（項目２７）
前記第１の時間点に対応する前記第１のメディアアセット内の第１のオーディオキューを決定するための手段と、
前記第１のオーディオキューに対応する前記第１のメディアアセット内の現在のオーディオキューに基づいて、前記表示画面上で前記第１の場面と前記第２の場面を置換することを決定するための手段と
をさらに備える、項目２１に記載のシステム。
（項目２８）
前記第１の時間点に対応する前記第１のメディアアセット内の第１のタグを決定するための手段と、
前記第１のメディアアセット内の第１のタグの検出に基づいて、前記表示画面上で前記第１の場面と前記第２の場面を置換することを決定するための手段と
をさらに備える、項目２１に記載のシステム。
（項目２９）
前記第１の時間点における前記第１の場面の再生を一時停止するための手段と、
前記第２の時間点における前記第１の場面の再生を再開するための手段と
をさらに備える、項目２１に記載のシステム。
（項目３０）
前記第１の場面は、第１のインターネットブラウザタブ内における表示のために生成され、前記第２の場面は、第２のインターネットブラウザタブ内における表示のために生成される、項目２１に記載のシステム。
（項目３１）
メディアアセットの表示部分を生成するための方法であって、
表示画面上への表示のために、第１のメディアアセットの第１の場面を生成するステップと、
前記第２の場面のユーザ選択に基づいて、第２のメディアアセットの第２の場面へのアクセス要求を受信するステップと、
さらにユーザ入力を受信せずに、
制御回路を使用して、前記第１のメディアアセットが表示のために生成されている間、第１の時間点が前記第２の場面の開始時間に対応することを決定するステップと、
前記第１の時間点が前記開始時間に対応するという決定に基づいて、前記表示画面上で前記第１の場面と前記第２の場面を置換するステップと、
前記制御回路を使用して、前記第２の場面が表示のために生成されている間、第２の時間点が前記第２の場面の終了時間に対応することを決定するステップと、
前記第２の時間点が前記終了時間に対応するという決定に基づいて、前記表示画面上で前記第２の場面と前記第１のメディアアセットを置換するステップと
を含む、方法。
（項目３２）
前記第２の場面が表示のために生成されるであろう時間帯を決定するステップをさらに含み、前記時間帯は、前記第２のメディアアセットとともに伝送されるデータに基づく開始時間および終了時間を含む、項目３１に記載の方法。
（項目３３）
前記第２の場面とメディアアセットの場面に対応する時間帯を含むデータベースを相互参照し、前記第２の場面が表示のために生成されるであろう時間帯を決定するステップをさらに含む、項目３１−３２のいずれかに記載の方法。
（項目３４）
前記第１の時間点に対応する前記第１のメディアアセット内の第１の再生位置を決定するステップと、
前記第１の再生位置に対応する前記第１のメディアアセット内の現在の再生位置に基づいて、前記表示画面上で前記第１の場面と前記第２の場面を置換することを決定するステップと
をさらに含む、項目３１−３３のいずれかに記載の方法。
（項目３５）
前記第２の場面の時間の長さを決定するステップと、
前記表示画面上での前記第１の場面と前記第２の場面の置換に基づいて、前記時間の長さに対応するカウントダウンを始動させるステップと、
前記カウントダウン満了に基づいて、前記表示画面上で前記第２の場面と前記第１のメディアアセットを置換することを決定するステップと
をさらに含む、項目３１−３４のいずれかに記載の方法。
（項目３６）
前記第１の時間点に対応する前記第１のメディアアセット内の第１のフレームを決定するステップと、
前記第１のフレームに対応する前記第１のメディアアセット内の現在のフレームに基づいて、前記表示画面上で前記第１の場面と前記第２の場面を置換することを決定するステップと
をさらに含む、項目３１−３５のいずれかに記載の方法。
（項目３７）
前記第１の時間点に対応する前記第１のメディアアセット内の第１のオーディオキューを決定するステップと、
前記第１のオーディオキューに対応する前記第１のメディアアセット内の現在のオーディオキューに基づいて、前記表示画面上で前記第１の場面と前記第２の場面を置換することを決定するステップと
をさらに含む、項目３１−３６のいずれかに記載の方法。
（項目３８）
前記第１の時間点に対応する前記第１のメディアアセット内の第１のタグを決定するステップと、
前記第１のメディアアセット内の第１のタグの検出に基づいて、前記表示画面上で前記第１の場面と前記第２の場面を置換することを決定するステップと
をさらに含む、項目３１−３７のいずれかに記載の方法。
（項目３９）
前記第１の時間点における前記第１の場面の再生を一時停止するステップと、
前記第２の時間点における前記第１の場面の再生を再開するステップと
をさらに含む、項目３１−３８のいずれかに記載の方法。
（項目４０）
前記第１の場面は、第１のインターネットブラウザタブ内における表示のために生成され、前記第２の場面は、第２のインターネットブラウザタブ内における表示のために生成される、項目３１−３９のいずれかに記載の方法。
（項目４１）
その上にエンコードされた機械可読命令を備える、メディアアセットの表示部分を生成するための非一過性コンピュータ可読媒体であって、前記命令は、
表示画面上への表示のために、第１のメディアアセットの第１の場面を生成するための命令と、
前記第２の場面のユーザ選択に基づいて、第２のメディアアセットの第２の場面へのアクセス要求を受信するための命令と、
さらにユーザ入力を受信せずに、
前記第１のメディアアセットが表示のために生成されている間、第１の時間点が前記第２の場面の開始に対応する時間であることを決定するための命令と、
前記第１の時間点が前記開始時間に対応するという決定に基づいて、前記表示画面上で前記第１の場面と前記第２の場面を置換するための命令と、
前記第２の場面が表示のために生成されている間、第２の時間点が前記第２の場面の終了時間に対応することを決定するための命令と、
前記第２の時間点が前記終了時間に対応するという決定に基づいて、前記表示画面上で前記第２の場面と前記第１のメディアアセットを置換するための命令と
を備える、非一過性コンピュータ可読媒体。
（項目４２）
前記その上にエンコードされた機械可読命令はさらに、
前記第２の場面が表示のために生成されるであろう時間帯を決定するための命令を備え、前記時間帯は、前記第２のメディアアセットとともに伝送されるデータに基づく開始時間および終了時間を含む、項目４１に記載の非一過性コンピュータ可読媒体。
（項目４３）
前記その上にエンコードされた機械可読命令はさらに、
前記第２の場面とメディアアセットの場面に対応する時間帯を含むデータベースを相互参照し、前記第２の場面が表示のために生成されるであろう時間帯を決定するための命令を備える、項目４１に記載の非一過性コンピュータ可読媒体。
（項目４４）
前記その上にエンコードされた機械可読命令はさらに、
前記第１の時間点に対応する前記第１のメディアアセット内の第１の再生位置を決定するための命令と、
前記第１の再生位置に対応する前記第１のメディアアセット内の現在の再生位置に基づいて、前記表示画面上で前記第１の場面と前記第２の場面を置換することを決定するための命令と
を備える、項目４１に記載の非一過性コンピュータ可読媒体。
（項目４５）
前記その上にエンコードされた機械可読命令はさらに、
前記第２の場面の時間の長さを決定するための命令と、
前記表示画面上での前記第１の場面と前記第２の場面の置換に基づいて、前記時間の長さに対応するカウントダウンを始動させるための命令と、
前記カウントダウン満了に基づいて、前記表示画面上で前記第２の場面と前記第１のメディアアセットを置換することを決定するための命令と
を備える、項目４１に記載の非一過性コンピュータ可読媒体。
（項目４６）
前記その上にエンコードされた機械可読命令はさらに、
前記第１の時間点に対応する前記第１のメディアアセット内の第１のフレームを決定するための命令と、
前記第１のフレームに対応する前記第１のメディアアセット内の現在のフレームに基づいて、前記表示画面上で前記第１の場面と前記第２の場面を置換することを決定するための命令と
を備える、項目４１に記載の非一過性コンピュータ可読媒体。
（項目４７）
前記その上にエンコードされた機械可読命令はさらに、
前記第１の時間点に対応する前記第１のメディアアセット内の第１のオーディオキューを決定するための命令と、
前記第１のオーディオキューに対応する前記第１のメディアアセット内の現在のオーディオキューに基づいて、前記表示画面上で前記第１の場面と前記第２の場面を置換することを決定するための命令と
を備える、項目４１に記載の非一過性コンピュータ可読媒体。
（項目４８）
前記その上にエンコードされた機械可読命令はさらに、
前記第１の時間点に対応する前記第１のメディアアセット内の第１のタグを決定するための命令と、
前記第１のメディアアセット内の第１のタグの検出に基づいて、前記表示画面上で前記第１の場面と前記第２の場面を置換することを決定するための命令と
を備える、項目４１に記載の非一過性コンピュータ可読媒体。
（項目４９）
前記その上にエンコードされた機械可読命令はさらに、
前記第１の時間点における前記第１の場面の再生を一時停止するための命令と、
前記第２の時間点における前記第１の場面の再生を再開するための命令と
を備える、項目４１に記載の非一過性コンピュータ可読媒体。
（項目５０）
前記第１の場面は、第１のインターネットブラウザタブ内における表示のために生成され、前記第２の場面は、第２のインターネットブラウザタブ内における表示のために生成される、項目４１に記載の非一過性コンピュータ可読媒体。